(57)【特許請求の範囲】
【請求項１】
可動家具部材用の緩衝装置（１４）であって、
ケーシング（７）に対して放射状に変位し得るように支持された回転式液体ダンパ（２０）であって、前記ケーシング（７）と、該ケーシング（７）内に配置された円筒とを含んでおり、
該ケーシング（７）と該円筒とは相対的に回転移動できるようになっている回転式液体ダンパ（２０）と、
前記ケーシング（７）内に提供された緩衝液と、
を含んでおり、第１方向の移動による緩衝時に、前記円筒と前記ケーシング（７）の一方は作動部品によって回転され、他方は保持具（１７）に押し付けられることで回転阻止されて保持され、
前記第１方向とは正反対の第２方向の移動では前記ケーシング（７）が前記円筒と共に回転することで緩衝作用は発生しないことを特徴とする緩衝装置（１４）。
【請求項２】
回転液体ダンパ（２０）は引出し（２）のための引き出しガイド構造体の引出しレール（６）に搭載されており、作動部品のラック（１６）と噛合しているピニオン（１０）を有しており、該作動部品は前記引出しレール（６）と相対的に移動できるスライダ（８）を含んでおり、前記引出しの側板（３）と支えレール（４）は家具の本体側部に位置しており、前記作用部品のためのストッパ（１１）は前記家具本体側部に提供されていることを特徴とする請求項１記載の緩衝装置。
【請求項３】
引出しレール（６）と回転液体ダンパ（２０）とは引出し側板（３）内に提供されていることを特徴とする請求項２記載の緩衝装置。
【請求項４】
回転液体ダンパ（２０）は引出しレール（６）または側板（３）に固定されたケーシング（７）内に提供されていることを特徴とする請求項２記載の緩衝装置。
【請求項５】
スライダ（８）はばね（１２）によって圧力が付与されていることを特徴とする請求項２記載の緩衝装置。
【請求項６】
スライダ（８）は引出しレール（６）または引出し側板（３）に固定されたケーシング（７）内に摺動式に搭載されており、ばね（１２）は前記スライダ（８）と前記ケーシング（７）に固定された引張りばねであることを特徴とする請求項５記載の緩衝装置。
【請求項７】
スライダ（８）は引出しレール（６）または引出し側板（３）に固定されたケーシング（７）内に摺動式に搭載されていることを特徴とする請求項２記載の緩衝装置。
【請求項８】
回転液体ダンパ（２０）のピニオン（１０）と作動部品のラック（１６）とは係合状態に保たれていることを特徴とする請求項２記載の緩衝装置。
【請求項９】
保持具（１７）は、円筒とケーシング（７）のうちの他方の表面に押し付けられる保持具であることを特徴とする請求項１記載の緩衝装置。
【請求項１０】
円筒とケーシング（７）のうちの他方とはケーシング（７）であることを特徴とする請求項９記載の緩衝装置。
【請求項１１】
回転液体ダンパ（２０）のケーシング（７）には爪歯（２３）が提供されていることを特徴とする請求項１０記載の緩衝装置。
【請求項１２】
保持具は、回転阻止されて保持される部品の円周の１/４に接することを特徴とする請求項９記載の緩衝装置。
【請求項１３】
回転液体ダンパ（２０）はケーシング（７）に固定されたロッカ（２１）によって揺動式に支持されていることを特徴とする請求項１記載の緩衝装置。
【請求項１４】
回転液体ダンパ（２０）をロッカ（２１）に支持している支持軸（１９）は、該回転液体ダンパ（２０）の回転軸に一致していることを特徴とする請求項１３記載の緩衝装置。
【請求項１５】
回転液体ダンパ（２０）は作動部品の移動方向と少なくとも実質的に平行に移動できることを特徴とする請求項１３記載の緩衝装置。
【請求項１６】
円筒とケーシング（７）の他方は緩衝時に摩擦によって保持具（１７）により保持されることを特徴とする請求項１記載の緩衝装置。
【請求項１７】
円筒とケーシング（７）の他方には爪歯（２３）が提供されていることを特徴とする請求項１記載の緩衝装置。
【請求項１８】
円筒は作動部品によって緩衝時に回転される回転体であり、ケーシング（７）は保持具（１７）によって保持されることを特徴とする請求項１記載の緩衝装置。
【請求項１９】
回転液体ダンパ（２０）は支持軸（１９）を有しており、回転液体ダンパ（２０）をケーシング（７）に提供された少なくとも１つの傾斜長形みぞ穴（１３）に支持させていることを特徴とする請求項１記載の緩衝装置。
【請求項２０】
回転液体ダンパ（２０）を保持具（１７）から持ち上げるためにスプリング（２２）が提供されていることを特徴とする請求項１記載の緩衝装置。
【請求項２１】
回転液体ダンパ（２０）は引出し側板（３）に搭載されていることを特徴とする請求項１記載の緩衝装置。
【請求項２２】
緩衝液はシリコンオイルであることを特徴とする請求項１記載の緩衝装置。
【発明の詳細な説明】
【０００１】
【発明が属する技術分野】
本発明は家具可動部分用緩衝装置に関する。
【０００２】
【従来の技術】
従来、互いに相対的に回転運動し得る２つの部品、つまりケーシングとケーシング内に配置された円筒とで構成され、且つ半径方向に変位し得るように支持された回転式ダンパとして形成された液体ダンパを備えた家具可動部分用緩衝装置であって、前記円筒内には緩衝液、例えばシリコン油が満たされ、緩衝作動中に前記の２つの部品の一方は作動部品によって回転させられ、他方の部品は回転阻止されて保持される緩衝装置がある。
【０００３】
この種の緩衝装置は家具の扉または抽斗を閉じる際に扉または抽斗前板が家具本体に過度に激しく当たることを防止するべく最新の家具に使用される。
【０００４】
この種の緩衝装置はフリーホイールを備え、扉または抽斗を開ける際に緩衝装置が支障なく作動待機ポジションに達し得るようにするのが好適である。
【０００５】
【発明が解決しようとする課題】
本発明の目的は冒頭に述べた類の緩衝装置に、改良された構造的にシンプルなフリーホイールを備えることである。
【０００６】
【課題を解決するための手段】
本発明の前記課題は回転式ダンパが緩衝作動中に作動部品によって保持具に押し付けられることによって解決される。
【０００７】
前記円筒は緩衝作動時に作動部品によって回転させられる回転体として形成され、前記ケーシングは保持具によって回転阻止されて保持されるように構成するのが好適である。
【０００８】
回転阻止され保持される部品は摩擦接触または爪歯によって回転阻止保持されるようにするのが好適である。
【０００９】
本発明の好適な実施例において回転式ダンパはケーシングに取付けられたロッカによって揺動式に支持されている。
【００１０】
本発明の別途実施例において回転式ダンパはケーシングに設けられた少なくとも１つの、好ましくは２つの互いに対向した斜めのみぞ穴に支持軸によって支持されている。
【００１１】
扉または抽斗が非常に緩慢に閉じられる場合に緩衝装置の緩衝作用によって引込み装置の作用が相殺され、従って扉または抽斗が完全には閉じられなくなることを防止するため、本発明のさらなる好ましい実施例において回転式ダンパないし緩衝作動中に回転阻止保持される回転式ダンパ部品を保持具から離間させるばねが設けられている。
【００１２】
【実施例】
以下、本発明の種々の実施例を添付図面の図解に基づいて説明する。
【００１３】
側壁１を有した家具本体において抽斗は引出しガイドによって摺動式に案内されている。
【００１４】
抽斗は両側にそれぞれ１枚の抽斗側板３を有し、該側板は支えレール４の固定脇板４’を除いて引出しガイドのレール４，５，６を覆っている。本発明による緩衝装置１４も同じく抽斗側板３によって被覆されている。
【００１５】
引出しレール６には緩衝装置１４のケーシング７が固定され、該ケーシング７は回転式ダンパ２０を支持している。回転式ダンパ２０の軸にはピニオン１０が取付けられている。
【００１６】
ケーシング７は溝１５を備えており、該溝によりスライダ８は水平方向に摺動式に支持されている。スライダ８はピニオン１０と噛合うラック１６を有している。引張りばね１２は一方でスライダ８に固定され、他方でケーシング７に固定されている。
【００１７】
スライダ８はさらにスライダストッパ９を有し、該ストッパは引出しレール６のスリットを貫いて突き出ている。支えレール４にはスライダ８用の家具本体側ストッパ１１が形成されている。
【００１８】
抽斗が開けられると引張りばね１２はスライダ８を緩衝作動ポジションに引き寄せる。抽斗２が閉じられる場合にはスライダストッパ９は家具本体側ストッパ１１に当接し、これによりスライダ８と本体レール４との間の相対運動はもはや生じないこととなる。ただし引出しレール６はケーシング７と共にさらに後方に運動させられ、ピニオン１０がラック１６に噛合って回転し、ケーシング７に支持された回転式ダンパ２０が作動する。
【００１９】
抽斗２が開けられる場合にはスライダ８は引張りばね１２によって再び当初ポジションすなわち緩衝作動ポジションにもたらされる。
【００２０】
ケーシング７には抽斗の前板２の方向側に保持具１７が配置され、該保持具は、例えばゴムまたは摩擦性の高いプラスチックで形成されている。
【００２１】
図１および２に示した実施例においてピニオン１０を備えた回転式ダンパ２０はケーシング７のみぞ穴１３に変位式に支持されている。
【００２２】
みぞ穴１３は抽斗の前板２の方向に向かって斜め上方に傾けられており、これにより緩衝作動時に回転式ダンパ２０に作用する力が合成されることとなる。従って回転式ダンパ２０は十分な力で保持具１７に押し付けられる。
【００２３】
抽斗２が閉じられる場合には、スライダ８のストッパ９が本体側ストッパ１１に当接した後、前述したようにケーシング７とスライダ８との間に相対運動が生ずることとなる。この相対運動により回転式ダンパ２０は保持具１７に押し付けられ、これにより回転式ダンパ２０のケーシングは保持具１７によってケーシング内に回転阻止されて保持される。すなわちピニオン１０は回転式ダンパ２０のケーシング内にある回転ピストンを回転させ、緩衝装置１４が作動する。
【００２４】
反対に抽斗２が開けられる場合には、回転式ダンパ２０は図２に示したようにみぞ穴１３内を下方に滑り落ち、従ってケーシング７に対して相対的に後方に移動する。従って回転式ダンパ２０のケーシングは保持具１７から離間させられ、回転式ダンパ２０はスライダ８とピニオン１０との間の相対運動に際してケーシングと共に全体として回転させられる。緩衝作用もしくは制動作用は生じない。
【００２５】
図３乃至１０に示した実施例において回転式ダンパ２０はロッカ２１によってケーシング７に支持されている。ロッカ２１は軸１８を中心にして揺動することができる。ロッカ２１がケーシング７に支持されている軸１８は回転式ダンパ２０がピニオン１０と共にロッカ２１に支持されている軸１９に比して家具奥行き方向にずらされている。
【００２６】
従って無負荷状態ではロッカ２１は回転式ダンパ２０と共に図４に示したポジションを占めており、換言すれば回転式ダンパ２０は保持具１７から離間した位置にある。ただし抽斗２を閉じる際にスライダ８のストッパ９が家具本体側ストッパ１１に当接すると直ちに再びスライダ８とケーシング７との間に相対運動が生じ、ロッカ２１は回転式ダンパ２０と共に図３の矢印Ａの方向に向かって保持具１７に押し付けられ、これによって回転式ダンパ２０のケーシングは回転阻止状態に保持され、回転式ダンパ２０の緩衝作用が生ずることとなる。回転式ダンパ２０はロッカ２１の運動時にスライダ８の運動方向とほぼ平行に運動させられる。
【００２７】
図３乃至５に示した実施例において保持具１７は回転式ダンパ２０のケーシングを摩擦接触によって回転阻止保持するゴム部品またはプラスチック部品である。
【００２８】
図６および７に示した実施例において保持具１７と回転式ダンパ２０のケーシング７とは爪歯２３を有している。緩衝装置１４の機能は前記の実施例と同じである。回転式ダンパ２０のケーシングは保持具１７により摩擦接触に代えて爪歯２３によって回転阻止保持される。
【００２９】
図８乃至１０に示した実施例においてケーシング７には曲がりばねとして形成されたばね２２が設けられており、該ばねはロッカ２１を図９の矢印Ｂの方向に負荷している。すなわちロッカ２１は、スライダ８からピニオン１０に圧力が及ぼされないかまたはわずかに及ぼされるにすぎないかぎり、ばね２２によって矢印Ｂの方向に押され、回転式ダンパ２０のケーシングは確実に保持具１７から離間させられ、その結果、抽斗は緩衝装置１４によって妨げられずに閉ポジションに達することができる。
【００３０】
前記のすべての実施例に共通している点は回転式ダンパ２０のピニオン１０と作動部品のラックとが常に互いに噛合っていることである。
【００３１】
本発明による引出しガイドは、例えば欧州特許明細書ＥＰ ０ ３９１ ２２１ Ｂ１に記載されている類の抽斗引込み装置を備えているのが好ましい。その際、抽斗引込み装置のばねは抽斗２が確実に閉められるように引張りばね１２よりも強力でなければならない。
【図面の簡単な説明】
【図１】 本発明による緩衝装置を備えた引出しガイドの抽斗閉動作中の側面図である。
【図２】 抽斗開動作中の図１と同じ側面図である。
【図３】 本発明による別途実施例の緩衝装置を備えた引出しガイドの抽斗閉動作中の側面図である。
【図４】 抽斗開動作中の図３と同じ側面図である。
【図５】 図３の線Ａ−Ａで切断した断面図である。
【図６】 本発明による別途実施例の緩衝装置を備えた引出しガイドの抽斗閉動作中の側面図である。
【図７】 抽斗開動作中の図６と同じ側面図である。
【図８】 本発明による別途実施例の緩衝装置を備えた引出しガイドの抽斗閉動作中の側面図である。
【図９】 抽斗開動作中の図８と同じ側面図である。
【図１０】 図８の線Ｂ−Ｂで切断した断面図である。
【符号の説明】
３・・・抽斗側板
４・・・家具本体側支えレール
６・・・引出しレール
７・・・ケーシング
８・・・スライダ
１０・・・ピニオン
１３・・みぞ穴
１７・・・保持具
１９・・・支持軸
２０・・・回転式ダンパ
２１・・・ロッカ
２２・・・ばね
２３・・・爪歯
【図１】
0004135060.tif 000002
【図２】
0004135060.tif 000003
【図３】
0004135060.tif 000004
【図４】
0004135060.tif 000005
【図５】
0004135060.tif 000006
【図６】
0004135060.tif 000007
【図７】
0004135060.tif 000008
【図８】
0004135060.tif 000009
【図９】
0004135060.tif 000010
【図１０】
0004135060.tif 000011